(57)【要約】【課題】レーザー光での書き込み及び現像レスを実現した平版印刷版において、良好な検版性を提供すること。【解決手段】金属平板を支持体とする平版印刷版において、平版印刷版の観察面に対して０°＜θ＜９０°の入射角度θで光束を照射させることを特徴とし、かつ該光束を金属平板の筋目に平行に照射することを特徴とする金属平版使用平版印刷版の検版方法であり、好ましくは光束が白色光又は青色光である。また、該検版方法に用いることのできる検版装置である。【選択図】  図１
2007137047.tif 000002
【特許請求の範囲】
【請求項１】
金属平板を支持体とする平版印刷版において、平版印刷版の観察面に対して０°＜θ＜９０°の入射角度θで光束を照射させることを特徴とし、かつ該光束を金属平板の筋目に平行に照射することを特徴とする平版印刷版の検版方法。
【請求項２】
光束の入射角度が、２０°≦θ≦４０°である請求項１記載の平版印刷版の検版方法。
【請求項３】
光束が白色光である請求項１又は２記載の平版印刷版の検版方法。
【請求項４】
光束が青色光である請求項１又は２記載の平版印刷版の検版方法。
【請求項５】
青色光が３７０ｎｍから５００ｎｍの波長領域でピーク波長を有するものである請求項４記載の平板印刷版の検版方法。
【請求項６】
青色光が４００ｎｍから４８０ｎｍの波長領域でピーク波長を有するものである請求項４〜５いずれかに記載の平板印刷版の検版方法。
【請求項７】
青色光のバンド幅（半値幅）が２５０ｎｍ以下である請求項４〜６いずれかに記載の平板印刷版の検版方法。
【請求項８】
青色光のバンド幅（半値幅）が１００ｎｍ以下である請求項４〜７いずれかに記載の平板印刷版の検版方法。
【請求項９】
光源、光照射部、画像検出器から構成されており、光照射部が平板印刷版の観察面に対して、０°＜θ＜９０°の角度範囲で可動であり、観察面をθの角度で照射することを特徴とする平板印刷版の検版装置。
【請求項１０】
光照射部の角度範囲が、２０°≦θ≦４０°の範囲で可動である請求項９記載の平版印刷版の検版装置。
【請求項１１】
光照射部が1対であり、平板印刷版の観察面をθの角度で両側方向から照射するものである請求項９又は１０いずれかに記載の平板印刷版の検版装置。
【請求項１２】
光源が白色光源である請求項９記載の平板印刷版の検版装置。
【請求項１３】
光源が青色光源である請求項９記載の平板印刷版の検版装置。
【発明の詳細な説明】
【技術分野】
【０００１】
本発明は金属平板を支持体として使用する平版印刷版の検版方法に関するものである。
【背景技術】
【０００２】
コンピュータの普及につれ、製版用フィルムを使用しないでコンピュータ上の原稿から直接版材にレーザー光やサーマルヘッド、インクジェットで印字し製版するコンピュータ・ツー・プレート（ＣＴＰ）タイプの印刷版が登場し、普及し始めている。このうちレーザー光を用いる印刷版は、光反応によるフォトンモードと、光熱変換を行って熱反応を起こさせるヒートモードの２つのタイプに分けられる。このうちヒートモードタイプのＣＴＰ版は、明室で取り扱えるといった利点があり、加えて現像といった後工程を省くことが可能であることから、現像レス版を得ることも可能になると期待されている。
【０００３】
現像レス版には数種類のタイプがあるが、その中の一つとして極性変換タイプが挙げられる。これは、支持体上の親水性樹脂感光層がレーザー露光により親油性に変化する構造となっているものである。露光後の版表面がすでに親水性と親油性に分かれていることから、完全な現像レス版とすることが可能である。このタイプの印刷版として例えば、W００１／８３２３４号公報（特許文献１）に、親水性ポリマーマトリクス中に親油性ポリマーの微粒子を分散させた感光層が、レーザー露光により親油性ポリマーが発泡したり、熱融着したりして、親水性が失われ親インク性に変化する印刷版が開示されている。この版は露光により感光層表面が白濁するため検版は可能であるが、コントラストが小さく検版性の向上が望まれている。
【０００４】
また、一方、検版性を悪くする原因として、支持体として使用される金属平板の筋目が散乱体として作用することが考えられ、この散乱作用のため網点が隠れてしまい、拡大鏡などで観察することができないという問題がある。すなわち、市販されている金属平板は、通常、表面に筋目を有しており、このような金属平板を支持体として用いた印刷版は、画像撮影した場合、筋目がそのまま画像として現れることがあり、感光層が透明である場合それがより顕著となる。
【０００５】
これを解決する方法として例えば、特開２００１−１３０１５５号公報（特許文献２）には、十点平均粗さ（Rｚ）が０．１μｍ以上、１．０μｍ以下の表面粗さを有する基板上に作製された直描型平版印刷版原版が開示されているが、このような表面粗さを達成するには金属平板を、機械的手法、化学的手法、電気化学的手法、或は化学被膜を形成する手法などを駆使して表面処理を行わなければならないため、コスト的に割高になるという問題が上げられる。
【特許文献１】W００１／８３２３４号公報
【特許文献２】特開２００１−１３０１５５号公報
【発明の開示】
【発明が解決しようとする課題】
【０００６】
本発明の目的は、金属平板を使用した場合の平版印刷版の露光部及び未露光部を明瞭に、かつ簡便に確認するための検版方法及び検版装置を提供することである。
【課題を解決するための手段】
【０００７】
本発明者らは、レーザー光での書き込み及び現像レスを実現した、金属平板を支持体として使用した平版印刷版の検版方法において、金属平板の筋目が散乱体になることに着目し、画像取得の為の平板印刷版照射用光源である白色光の光束を平版印刷版の観察面に対して斜め方向の入射角度で照射しかつ、金属平板の筋目に光束を平行に照射することで、露光部と未露光部とが認識可能な画像が得られることを見いだし、本発明を完成した。加えて、光束として青色光を使用することが、金属平板の筋目により発生する散乱光をさらに低減させる効果があることを見いだし、これにより露光部と未露光部とがさらに明確に認識可能な画像が得られ、これらを二値化画像処理した場合にそれがより顕著に認識されることを見いだし、本発明を完成した。
【０００８】
即ち本発明は、以下の構成からなるものである。
（１）金属平板を支持体とする平版印刷版において、平版印刷版の観察面に対して０°＜θ＜９０°の入射角度θで光束を照射させることを特徴とし、かつ該光束を金属平板の筋目に平行に照射することを特徴とする平版印刷版の検版方法。
（２）光束の入射角度が、２０°≦θ≦４０°である（１）記載の平版印刷版の検版方法。
（３）光束が白色光である（１）又は（２）記載の平版印刷版の検版方法。
（４）光束が青色光である（１）又は（２）記載の平版印刷版の検版方法。
（５）青色光が３７０ｎｍから５００ｎｍの波長領域でピーク波長を有する（４）記載の平板印刷版の検版方法。
（６）青色光が４００ｎｍから４８０ｎｍの波長領域でピーク波長を有する（４）〜（５）いずれかに記載の平板印刷版の検版方法。
（７）青色光のバンド幅（半値幅）が２５０ｎｍ以下である（４）〜（６）いずれかに記載の平板印刷版の検版方法。
（８）青色光のバンド幅（半値幅）が１００ｎｍ以下である（４）〜（７）いずれかに記載の平板印刷版の検版方法。
【０００９】
（９）光源、光照射部、画像検出器から構成されており、光照射部が平板印刷版の観察面に対して、０°＜θ＜９０°の角度範囲で可動であり、観察面をθの角度で照射することを特徴とする平板印刷版の検版装置。
（１０）光照射部の角度範囲が、２０°≦θ≦４０°の範囲で可動である（９）記載の平版印刷版の検版装置。
（１１）光照射部が1対であり、平板印刷版の観察面をθの角度で両側方向から照射するものである（９）又は（１０）いずれかに記載の平板印刷版の検版装置。
（１２）光源が白色光源である（９）記載の平板印刷版の検版装置。
（１３）光源が青色光源である（９）記載の平板印刷版の検版装置。
【発明の効果】
【００１０】
本発明の検版方法を用いれば、金属平板を支持体として使用した平版印刷版の露光部及び未露光部を明瞭に、かつ簡便に確認することが可能である。
【発明を実施するための最良の形態】
【００１１】
以下、本発明の検版方法について詳細に説明する。
［支持体］
本発明の方法において平版印刷用原版に用いる支持体として使用される金属平板は、特に制限は無いが、亜鉛、銅、ステンレス、アルミニウムなどのような金属平板が使用される。このうち、寸法安定性、機械的強度、価格を考慮した上で一般的に印刷版に使用されている、圧延加工により作製された表面に筋目の入ったアルミニウムの平板が好ましく使用される。特に表面に筋目の入っていない金属板の場合でも本発明を実施することは可能であるが、通常印刷版で用いられる金属板は、圧延加工により平板にする際に圧延方向に必然的に筋目が入り、これらを用いた場合、特に本発明の効果を享受できる。また、金属板上の筋目の形状等については特に制限はなく、通常印刷版の支持体として使用されるものは、本発明方法を使用することが可能である。
【００１２】
［平版印刷版］
本発明の方法に用いられる平版印刷用原版は、現像レス平版印刷用原版であり、レーザー照射部（露光部）が白濁するものの方が、本発明の効果を享受できるため好ましい。このような平版印刷用原版としては、例えばWO０１／８３２３４号公報に開示されているようなものを使用することができる。その場合、レーザー照射されていない部分（未露光部）を別色にすることで露光部と未露光部がより強調されて認識される。未露光部を別色にするには、感光層に添加される光吸収剤色素がその役割を果たす。光吸収剤色素の本来の役割は、レーザー光を熱に変換することであるが、この場合用いられる光吸収剤色素としては、その吸収波長は特に制限されないが、市販されているレーザーを搭載した露光機は、レーザー波長が８３０ｎｍであることが多いため、８００〜８６０ｎｍに吸収域を有した光吸収剤色素を用いることが好ましい。この場合、感光層の色調は緑色となることから、未露光部は緑色となる。
【００１３】
[入射角度]
本発明の方法に用いられる平版印刷版の観察面に対する光束の入射角度θは、０°＜θ＜９０°の範囲が好ましい。９０°すなわち通常の光照射方法の場合、金属平板の筋目により、画像取得のために使用するＣＣＤカメラヘッドのレンズ面に入射しうる角度の散乱光が発生するため、露光部と未露光部が認識されなくなるためである。より好ましくは２０°≦θ≦４０°の範囲が好ましい。４０°より大きくなってくると、金属平板の筋目による散乱光の影響が現れ始めるため、露光部と未露光部が認識されにくくなり始めるためである。
【００１４】
光束の入射方向に対する、金属平板の配置であるが、光束の斜め入射であっても、光束の進行方向に対して金属平板の筋目に垂直に入射した場合においては、ＣＣＤカメラヘッドのレンズ面に入射する散乱光の増大につながり、露光部及び未露光部が認識できない。このことから、筋目に対して光束は平行に入射することが特に好ましい。
【００１５】
［白色光］
本発明の方法に用いられる白色光としては、特に限定されないが、タングステンランプ、ハロゲンランプ、キセノンランプ、及び水銀ランプなどの連続スペクトルを有するランプ光源が好ましく用いられる。また、白色ＬＥＤにおいては、特に限定はされないが、日亜化学工業株式会社製のＴｏｐ  Ｖｉｅｗシリーズ及びφ３シリーズや、ＯＳＲＡＭ社製のＧｏｌｄｅｎ Ｄｏｒａｇｏｎシリーズ、ＬｕｍｉＬｅｄｓ社製のＬｕｘｅｏｎシリーズ及びＬｕｘｅｏｎIIIシリーズが好ましく用いられる。これら白色光はそのまま直接観察面に照射してもよいが、入射角度を容易に持たせるに、光を石英ファイバーやプラスチックファイバー等の光ファイバーで導光させた光が好ましく用いられる。さらには、光ファイバーを多数束ねてライトガイドとしたものや、ライトガイドの光出射側にレンズを装備したものも好ましく用いられる。また、これらが光源につながった光源装置が好ましく用いられる。
【００１６】
[青色光]
本発明の方法に用いられる青色光とは、３７０ｎｍから５００ｎｍ、好ましくは４００ｎｍから４８０ｎｍの間の波長をピーク波長とするバンド幅（半値幅）２５０ｎｍ以下、好ましくは１００ｎｍ以下の光を指す。青色光を発生する光源としては特に限定はされないが、タングステンランプ、ハロゲンランプ、キセノンランプ、及び水銀ランプなどの連続スペクトル光源に関しては、バンドパスフィルターとの組み合わせが好ましく用いられる。例えば東芝硝子株式会社（現旭テクノグラス株式会社）製のバンドパスフィルター、Ｖ−４０、Ｖ−４２，Ｖ−４４，Ｂ−４６、Ｂ−４７、Ｂ−４８Ｓや、ＨＯＹＡ  ＣＡＮＤＥＯ  ＯＰＴＲＯＮＩＣＳ株式会社製のバンドパスフィルター、Ｂ３７０、Ｂ３９０、Ｂ４１０、Ｂ４４０、Ｂ４６０、などを前記した光源と組み合わせて発生させた青色光が好ましく用いられる。
【００１７】
また、青色波長領域に発振線を有するＣＷレーザー光源も好ましく用いられる。例えば、アルゴンイオンレーザーの３７９．５ｎｍ、４５４．５ｎｍ、４５７．９ｎｍ、４６５．８ｎｍ、４７２．７ｎｍ、４７６．５ｎｍ、４８８．０ｎｍ、４９６．５ｎｍの発振線や、クリプトンイオンレーザーの４７６．２ｎｍ、４８２．５ｎｍの発振線が好ましく用いられる。また、ＣＷ色素レーザーにおいては、ＢＢＱ（ピーク波長３８７ｎｍ）、ＰＢＢＯ（ピーク波長３９６ｎｍ）、ＤＰＳ（ピーク波長４０５ｎｍ）、ｓｔｉｌｂｅｎｅ４２０（ピーク波長４２５ｎｍ）、ｃｏｕｍａｒｉｎ１２０（ピーク波長４３９ｎｍ）、ｃｏｕｍａｒｉｎ１（ピーク波長４４０ｎｍ）、ｃｏｕｍａｒｉｎ１０２（ピーク波長４８０ｎｍ）などの色素を使用して発生させた波長の光が好ましく用いられる。また、ＣＷチタンサファイヤレーザーの第二高調波の発振領域の青色の波長の光も好ましく用いられる。また、ＧａＮ系やＩｎＧａＮ系の半導体レーザーの光も好ましく用いられる。また、ＬＥＤにおいては、日亜化学工業株式会社製の、ピーク波長４６５ｎｍのＴｏｐ  Ｖｉｅｗシリーズ及びピーク波長４７５ｎｍのφ３シリーズや、ＯＳＲＡＭ社製のピーク波長４２８ｎｍ或は４６５ｎｍのＨｙｐｅｒ ＴｏｐＬＥＤシリーズ、ＬｕｍｉＬｅｄｓ社製のピーク波長４５５ｎｍ或は４７０ｎｍのＬｕｘｅｏｎシリーズ、及びピーク波長４７０ｎｍのＬｕｘｅｏｎIIIシリーズが好ましく用いられる。これら青色光はそのまま直接観察面に照射してもよいが、入射角度を容易に持たせるには、光を石英ファイバーやプラスチックファイバー等の光ファイバーで導光させた光が好ましく用いられる。さらには、光ファイバーを多数束ねてライトガイドとしたものや、ライトガイドの光出射側にレンズを装備したものも好ましく用いられる。また、これらが光源につながった光源装置が好ましく用いられる。
【００１８】
［検版装置］
検版装置の構成としては、光源、光照射部、画像検出器、を組み合わせて製作される。光源に関しては前記通りであるが、光照射部に関しては、入射角度を容易に持たせるために、光ファイバーが好ましく用いられる。また、光ファイバーを多数束ねたライトガイドとしたものや、ライトガイドの光出射側にレンズを装備したものも好ましく用いられる。また、これらがランプ光源や前記したレーザー、ＬＥＤにつながった光源装置が好ましく用いられる。光照射部は、平版印刷版の観察面を片側から照射するタイプが好ましく用いられるが、両側から照射するタイプも好ましく用いられる。画像検出器としては、前記したＣＣＤカメラヘッド付きのデジタルマイクロスコープが好ましく用いられる。二値化画像処理ソフトに関しては、一般に市販されている二値化画像処理ソフトであれば特に限定はされないが、インターネット上で配布されているフリーソフトウェアであるＩｍａｇｅＪやＳｃｉｏｎ Ｉｍａｇｅなどが好ましく用いられる。
【実施例】
【００１９】
以下、実施例にて更に本発明を詳細に説明する。
［実施例１］
（現像レス平版印刷用原版の作成）
厚さ０．３ｍｍのアルミニウム平板（住友軽金属工業（株）製  Ｈ１８−１０５０）に、下地層用樹脂液（三井化学（株）製  オレスターＴＭＵＤ３５０、固形分４０重量％）をワイヤーバーを用いて塗布した後、１５０℃１分間乾燥し、５μｍの下地層を成膜した。上記方法にて作成した下地層の上に、下記組成からなる感光性樹脂組成物の水溶液をワイヤーバーを用いて塗布した後、１３０℃で２０分間乾燥し、２μｍの膜厚の感光層を成膜して現像レス平版印刷用原版を作成した。なお、以下に示す「部」はそれぞれの樹脂または化合物の、固形分についての重量部を示す。
【００２０】
親水性樹脂：ポリアクリルアミド樹脂（三井化学（株）製、ホープロンTM H５２０B）４０部
疎水性微粒子：ポリウレタン樹脂（三井化学（株）製水分散ウレタン樹脂：オレスターＴＭＵＤ３５０、固形分４０重量％）３５部
架橋剤：メチル化メラミン樹脂（三井サイテック（株）製サイメルTM３８５） ２５部
光吸収材：シアニン色素（メタノール溶液中でのλmax  ７８４nm, εmax  ２．４３×１０５Ｌｍｏｌ−１ｃｍ−１） ２０部
界面活性剤；アニオン性界面活性剤（第一工業製薬（株）製ネオコールTMＹＳＫ） ５部
（描画・平版印刷版の製造）
この原版に波長８３０ｎｍの半導体レーザー光を３５０ｍＪ／ｃｍ２の照射エネルギー密度となるように集光しながら走査照射して描画を行った。レーザー光を照射した部分は白濁した。
【００２１】
（検版）
このように描画形成した版を図１記載の検版装置に配置した。すなわち、レンズ装備ライトガイドによって導光された光束（レンズ装備ライトガイド付き光源：SUMITA  LS-150S）を、版に対して３０°の入射角度で、両方向からアルミニウム平板の筋目に対して平行に照射した場合の検版性を評価した。画像測定はデジタルマイクロスコープ（KEYENCE VF-7510）を用い、５０％露光網点を観察した。観察倍率は２１０倍である。図１より白色部分が露光部であり、黒色部分が未露光部である。露光部及び未露光部の違いが明確に認識できていることが確認できる。
【００２２】
［実施例２］
実施例１と同様に製造した平版印刷版について、レンズ装備ライトガイドによって導光された光束を、版に対して２０°の入射角度で照射した場合の画像を図２に示す。観察倍率は２１０倍であり、図１と同じ画像領域を撮影した。３０°入射の場合と同様、露光部及び未露光部の違いが明確に認識できていることが確認できる。
【００２３】
［実施例３］
実施例１と同様に製造した平版印刷版について、レンズ装備ライトガイドによって導光された光束を、版に対して４０°の入射角度で照射した場合の画像を図３に示す。観察倍率は２１０倍であり、図１と同じ画像領域を撮影した。露光部及び未露光部の違いが明確に認識できるものの、２０°或は３０°入射の場合と比べて、アルミニウムの筋目により発生した散乱光が増加していることが確認できる。
【００２４】
［実施例４］
実施例１と同様に製造した平版印刷版について、レンズ装備ライトガイドによって導光された光束を、版に対して６０°の入射角度で照射した場合の画像を図４に示す。観察倍率は２１０倍であり、図１と同じ画像領域を撮影した。露光部及び未露光部の違いが明確に認識できるものの、アルミニウムの筋目により発生した散乱光が、４０°入射の場合よりもさらに増加していることが確認できる。
【００２５】
［比較例１］
同じ版を図５記載のように通常のデジタルマイクロスコープの光照射方法（９０°）で照射した場合の結果を示す。観察倍率は２１０倍であり、図１と同じ画像領域を撮影した。画像に見られるように、アルミニウムの筋目により発生した散乱光にさえぎられて、露光部及び未露光部が認識できないのが確認できる。
【００２６】
［比較例２］
同じ版を、光照射方法は実施例１と同様にする一方、平版印刷版のアルミニウムの筋目を光束の進行方向に対して垂直に配置し照射した場合の結果を図６に示す。観察倍率は２１０倍であり、図１と同じ画像領域を撮影した。アルミニウムの筋目により発生した散乱光にさえぎられて、露光部及び未露光部が認識できないのが確認できる。
【００２７】
［実施例５］
実施例１と同様に製造した平版印刷版について、版に対して３０°の入射角度で片側方向のみからの光照射とし、東芝硝子株式会社（現旭テクノグラス株式会社）製Ｖ−４０フィルターを透過した光を照射した場合の画像を図７に示す。照射光のピーク波長は４００ｎｍであり、照射波長領域は３１０ｎｍから５１０ｎｍである。図７より青色部分が露光部であり、黒色部分が未露光部である。露光部及び未露光部の違いが明確に認識できていることが確認できる。図８は図７の画像を二値化画像処理ソフトであるＩｍａｇｅＪで二値化した画像である。ここで、露光部が黒色部分であり、未露光部が白色部分である。白色部分に存在する明らかにアルミニウムの筋目により発生した散乱光に起因すると考えられるノイズを除去した後、露光部が占有する実際の面積率を求めたところ、４７％でありほぼ所望の面積率で網点が描画されていることが確認できた。
【００２８】
［実施例６］
実施例１と同様に製造した平版印刷版について、光照射配置は実施例５と同様にする一方、東芝硝子株式会社（現旭テクノグラス株式会社）製Ｖ−４４フィルターを透過した光を照射した場合の画像を図９に示す。照射光のピーク波長は４４０ｎｍであり、照射波長領域は３２０ｎｍから５４０ｎｍである。観察倍率は２１０倍であり、実施例５と同じ画像領域を撮影した。Ｖ−４０フィルター使用の場合と同様、露光部及び未露光部の違いが明確に認識できていることが確認できる。図１０は図９の画像を二値化画像処理ソフトであるＩｍａｇｅＪで二値化した画像である。ここで、露光部が黒色部分であり、未露光部が白色部分である。白色部分に存在する明らかにアルミニウムの筋目により発生した散乱光に起因すると考えられるノイズを除去した後、露光部が占有する実際の面積率を求めたところ、４７％でありほぼ所望の面積率で網点が描画されていることが確認できた。
【００２９】
［実施例７］
実施例１と同様に製造した平版印刷版について、実施例５と同様の光学配置で、Ｖ−４０フィルターを使用して、２％、５％、１０％、３０％、６０％、８０％、及び９８％の網点を画像撮影した。照射光のピーク波長は４００ｎｍであり、照射波長領域は３１０ｎｍから５１０ｎｍである。これらの画像を二値化し同様に明らかにアルミニウムの筋目により発生した散乱光に起因すると考えられるノイズを除去した後、露光部が占有する実際の面積率を求めたところ、１．８％、５．７％、１０％、２９％、５９％、７９％、９７％であり、ほぼ所望の面積率で網点が描画されていることが確認できた。
【００３０】
［実施例８］
実施例１と同様に製造した平版印刷版について、光照射配置は実施例５と同様にする一方、フィルターなしの光束（白色光）を照射し撮影した画像を図１１に示す。観察倍率は２１０倍であり、実施例５と同じ画像領域を撮影した。露光部及び未露光部の違いが明確に認識できる。図１２は、図１１の画像を二値化した画像である。ここで、露光部が黒色部分であり、未露光部が白色部分である。
【００３１】
［実施例９］
富士フィルム（株）製の平板印刷版であるＨＰ−Ｓ版を、波長８３０ｎｍの半導体レーザー光を１２０ｍＪ／ｃｍ２の照射エネルギー密度となるように集光しながら走査照射して網点の描画を行った。この版を、実施例５の光学配置の検版装置とＶ−４０フィルターを使用して５０％露光網点を観察した。照射光のピーク波長は４００ｎｍであり、照射波長領域は３１０ｎｍから５１０ｎｍである。観察倍率は２１０倍である。露光部及び未露光部の違いが明確に認識できていることが確認できた。この画像を二値化画像処理ソフトであるＩｍａｇｅＪで二値化し、明らかにアルミニウムの筋目により発生した散乱光に起因すると考えられるノイズを除去した後、露光部が占有する面積率を求めたところ、４７％であり、ほぼ所望の面積率で網点が描画されていることを確認した。
【産業上の利用可能性】
【００３２】
本発明の検版方法を用いれば、直接レーザー光で描画でき、レーザー照射部の表面だけが親油性に変化するため感度、解像度に優れ、かつ現像や拭き取り等の工程を不要とすることが可能な平版印刷版の露光部を明瞭に、また簡便に確認することができる。
【図面の簡単な説明】
【００３３】
【図１】レンズ装備ライトガイドによって導光された光束を、版に対して３０°の入射角度で、アルミニウム平板の筋目に対して平行に照射した場合の配置と、観察倍率２１０倍の画像である。
【図２】レンズ装備ライトガイドによって導光された光束を、版に対して２０°の入射角度で、アルミニウム平板の筋目に対して平行に照射した場合の、観察倍率２１０倍の画像である。
【図３】レンズ装備ライトガイドによって導光された光束を、版に対して４０°の入射角度で、アルミニウム平板の筋目に対して平行に照射した場合の、観察倍率２１０倍の画像である。
【図４】レンズ装備ライトガイドによって導光された光束を、版に対して６０°の入射角度でアルミニウム平板の筋目に対して平行に照射した場合の、観察倍率２１０倍の画像である。
【図５】通常のデジタルマイクロスコープの光照射方法（９０°）で照射した場合の配置と、観察倍率２１０倍の画像である。
【図６】レンズ装備ライトガイドによって導光された光束を、版に対して３０°の入射角度で、アルミニウム平板の筋目に対して垂直に照射した場合の配置と、観察倍率２１０倍の画像である。
【図７】レンズ装備ライトガイドによって導光された光束をＶ−４０フィルターを透過させた後、版に対して３０°の入射角度で、アルミニウム平板の筋目に対して平行に照射した場合の配置と、観察倍率２１０倍の画像である。
【図８】図７の画像を二値化した画像である。
【図９】レンズ装備ライトガイドによって導光された光束をＶ−４４フィルターを透過させた後、版に対して３０°の入射角度で、アルミニウム平板の筋目に対して平行に照射した場合の配置と、観察倍率２１０倍の画像である。
【図１０】図９の画像を二値化した画像である。
【図１１】レンズ装備ライトガイドによって導光された光束を、フィルターなしの状態で版に対して３０°の入射角度で、アルミニウム平板の筋目に対して平行に照射した場合の配置と、観察倍率２１０倍の画像である。
【図１２】図５の画像を二値化した場合の画像である。
【符号の説明】
【００３４】
１    光束の進行方向に対してアルミニウムの筋目を平行に配置した平板印刷版
２    ＣＣＤカメラヘッド
３    レンズ装備ライトガイドヘッド
４    光束
５    光束の進行方向に対してアルミニウムの筋目を垂直に配置した平板印刷版
６    Ｖ−４０フィルター
【図１】
2007137047.tif 000003
【図２】
2007137047.tif 000004
【図３】
2007137047.tif 000005
【図４】
2007137047.tif 000006
【図５】
2007137047.tif 000007
【図６】
2007137047.tif 000008
【図７】
2007137047.tif 000009
【図８】
2007137047.tif 000010
【図９】
2007137047.tif 000011
【図１０】
2007137047.tif 000012
【図１１】
2007137047.tif 000013
【図１２】
2007137047.tif 000014